(57)【特許請求の範囲】
【請求項１】
アンテナによるフルデュプレクスの送受信に関する無線周波数信号を二重化するためのシステムであって、
前記アンテナに接続されるように構成されたアンテナノードと、
前記アンテナによる送信に関する無線周波数信号を受信する入力ノードと、
前記アンテナによって受信された無線周波数信号を出力する出力ノードと、および
結合ノードと、
を備えた信号結合器と、
前記アンテナによる送信に関する前記信号と前記アンテナによって受信された前記信号との間の干渉を低減するように前記結合ノードに接続された可変インピーダンスエレメントと、ここにおいて前記可変インピーダンスエレメントは可変減衰器に接続された可変フェーズシフタを備え、前記可変フェーズシフタが、前記可変フェーズシフタの両端の位相シフトを増加または減少させるために切り換えられるように構成された切換え可能な可変フェーズシフトエレメントのセットを備え、および／または、前記可変減衰器が、前記可変減衰器の両端の減衰を増加または減少させるために切り換えられるように構成された切換え可能な可変減衰エレメントのセットを備える、
システム。
【請求項２】
前記アンテナによる送信に関する前記信号と前記アンテナによって受信された前記信号との間の干渉を低減するために、前記可変インピーダンスエレメントのインピーダンスを調節するように前記システムが構成される請求項１に記載のシステム。
【請求項３】
前記システムが１つまたは複数のさらなる可変インピーダンスエレメントを備え、前記可変インピーダンスエレメントと前記１つまたは複数のさらなる可変インピーダンスエレメントとが、電力分配器を介して結合端子に接続されている請求項１から２のいずれか一項に記載のシステム。
【請求項４】
無線周波数信号を二重化するための多入力多出力システムであって、前記システムは、各システムの結合ノードに接続された共通ノードを介して互いに接続されている請求項１から３のいずれか一項に記載の複数のシステムを備える多入力多出力システム。
【請求項５】
前記システムのうち１つまたは複数が、前記それぞれのシステムに関する前記結合ノードと前記共通ノードとの間に配置された可変インピーダンスエレメントを有する請求項４に記載の多入力多出力システム。
【請求項６】
前記複数のシステムの各々が、前記それぞれのシステムに関する前記結合ノードと前記共通ノードとの間に配置された可変インピーダンスエレメントを有する請求項４または５に記載の多入力多出力システム。
【請求項７】
請求項１から６のいずれか一項に記載のシステムと、
フルデュプレクスワイヤレス通信に関する信号結合器のアンテナノードに接続されたアンテナと、および
前記アンテナによる送信に関する信号を前記信号結合器の入力ノードに供給し、
前記アンテナによって受信された前記信号を前記信号結合器の出力ノードから受信し、
前記アンテナによる送信に関する前記信号と前記アンテナによって受信された前記信号との間の干渉を低減するために、可変インピーダンスエレメントを制御する
ように構成されたコントローラとを備える、ワイヤレス通信のためのデバイス。
【請求項８】
アンテナによるフルデュプレックス送受信に関する無線周波数信号を二重化するための方法であって、前記アンテナに接続されるように構成されたアンテナノードと、入力ノードと、出力ノードおよび結合ノードを備えた信号結合器と、前記結合ノードに接続された可変インピーダンスエレメントを備え、前記可変インピーダンスエレメントは可変フェーズシフタと可変減衰器を備え、前記可変フェーズシフタが、前記可変フェーズシフタの両端のフェーズシフトを増加または減少させるために切り換えられるように構成された切換え可能な可変フェーズシフトエレメントのセットを備え、および／または、前記可変減衰器が、前記可変減衰器の両端の減衰を増加または減少させるために切り換えられるように構成された切換え可能な減衰エレメントのセットを備えた、システムにより前記方法が実行され、
前記アンテナによる送信に関する無線周波数信号を前記入力ノードにおいて受信し、送信に関する前記信号を前記アンテナノードにおいて出力することと、
前記アンテナによって受信された無線周波数信号を前記アンテナノードにおいて受信し、前記アンテナによって受信された前記信号を前記出力ノードにおいて出力することと、
前記アンテナによる送信に関する前記信号と前記アンテナによって受信された前記信号との間の干渉を低減するために、前記可変インピーダンスエレメントを介して前記結合ノードに可変インピーダンスを適用することとを備える方法。
【請求項９】
前記アンテナによる送信に関する前記信号と前記アンテナによって受信された前記信号との間の干渉を低減するために、前記可変インピーダンスエレメントのインピーダンスを調節することをさらに備える請求項８に記載の方法。
【請求項１０】
前記システムが、１つまたは複数のさらなる可変インピーダンスエレメントを備え、前記可変インピーダンスエレメントと前記１つまたは複数のさらなる可変インピーダンスエレメントとが電力分配器を介して結合端子に接続され、前記方法はさらに、前記１つまたは複数のさらなる可変インピーダンスエレメントを介して前記結合ノードに１つまたは複数のさらなる可変インピーダンスを適用することをさらに備える請求項８から９のいずれか一項に記載の方法。
【請求項１１】
信号を二重化するための多入力多出力の方法であって、各システムの結合ノードに接続された共通ノードを介して、請求項１から３のいずれか一項に記載の複数のシステムを互いに接続することを備える多入力多出力の方法。
【請求項１２】
前記システムのうち１つまたは複数が、前記それぞれのシステムに関する前記結合ノードと前記共通ノードとの間に配置された可変インピーダンスエレメントを介して前記結合ノードに接続された請求項１１に記載の多入力多出力の方法。
【請求項１３】
前記複数のシステムの各々が、前記それぞれのシステムに関する前記結合ノードと前記共通ノードとの間に配置されたそれぞれの可変インピーダンスエレメントを介して前記結合ノードに接続された請求項１１または１２に記載の多入力多出力の方法。
【発明の詳細な説明】
【技術分野】
【０００１】
本開示は、アンテナによって送信される信号およびアンテナによって受信される信号を二重化するためのシステムと方法とに関する。特に、しかし限定はされないが、この開示は、単一アンテナを介してフルデュプレックス(full duplex)通信を提供するための方法とシステムとに関する。
【背景技術】
【０００２】
８０２．１１ａｘのＷｉ−Ｆｉ標準は、データレートを１０００倍まで増加させることを目標とする。これを行うための手段の１つには、フルデュプレックス（ＦＤ）動作を用いるものがあり、それにより、システムは、同一周波数で同時に送信および受信を行うことができる。
【０００３】
ハードウェアの制限のために、送信される信号が、受信経路に漏れる傾向がある。よくてもそれは受信機の信号対雑音比を劣化させ、最悪の場合には、強い送信信号が受信機に恒久的にダメージを与えるであろう。送信アンテナと受信アンテナとの空間的な分離は経路をアイソレーション(isolation)することができるが、たとえばラップトップのスクリーンの両端に有効なスペースがある場合に限られる。携帯電話機のように、スペースが貴重な多くのアプリケーションに関しては、単一アンテナがより実用的である。
【０００４】
受信経路と送信経路とを単一アンテナに結合するためにサーキュレータが使用されることができる。サーキュレータはかなりのアイソレーションを提供するけれども、それらは小型化には十分役立たない大きなアイテムである。せいぜい、それらは高いアイソレーションと低い損失を有する１０％のわずかな帯域幅しか有していない。たとえば、２．３〜２．５ＧＨｚをカバーするアイソレータがその帯域上で２０ｄＢのアイソレーションを提供することしかできない。
【０００５】
それゆえ、携帯電話のようなより小型のシステムで使用する効果的なフルデュプレックスを提供するための通信システムにおいて送信経路と受信経路をアイソレーションする改善された手段が必要である。
【発明の概要】
【０００６】
本発明の機構は、図面とともに例示の目的で成された以下の詳細な記載からより完全に理解され認識されるであろう。
【図面の簡単な説明】
【０００７】
【図１】個別の受信アンテナと送信アンテナとを備える、全二重通信用のシステムを示す図。
【図２】単一のアンテナを備える、フルデュプレックス通信に関するシステムを示す図。
【図３】方向性結合器を備える、フルデュプレックスオペレーションに関する単一アンテナシステムを示す図。
【図４】ハイブリッド結合器を備える、フルデュプレックス通信に関する単一アンテナシステムを示す図。
【図５】単一の相殺経路を備える、フルデュプレックス通信に関する単一アンテナシステムを示す図。
【図６】複数の相殺経路を備える、フルデュプレックス通信に関する単一アンテナシステムを示す図。
【図７】ハイブリッド結合器の予備ポートが可変インピーダンスエレメントに接続されているハイブリッド結合器を備える、フルデュプレックス通信に関する単一アンテナシステムを示す図。
【図８】一構成による可変インピーダンスエレメントを備える、フルデュプレックス通信に関する単一アンテナシステムを示す図。
【図９】一構成による可変インピーダンスエレメントを示す図。
【図１０】一構成による、スイッチド(switched)減衰器とスイッチド遅延ラインとを備える可変インピーダンスエレメントを示す図。
【図１１】図８のシステムを用いて測定され、図４のシステムを用いて測定された測定値と比較された送信周波数の関数として、送信により生じた漏れを示す。
【図１２】一構成による、送信された信号の反射経路を示す図。
【図１３】一構成による、複数の可変インピーダンスを備えるシステム示す図。
【図１４】一構成による、フルデュプレックスの多入力多出力（ＭＩＭＯ）システムを示す図。
【図１５】一構成による、フルデュプレックス４×４ＭＩＭＯシステムを示す図。
【図１６】フルデュプレックストランシーバシステムを内蔵するシステムを示す図。
【発明を実施するための形態】
【０００８】
第１の構成によれば、アンテナによるフルデュプレックス送受信に関する無線周波数信号を二重化するためのシステムが提供される。このシステムは、アンテナに接続されるように構成されたアンテナノードと、アンテナによる送信に関する無線周波数信号を受信するための入力ノードと、アンテナによって受信された無線周波数信号を出力するための出力ノードと、結合ノードとを備えた信号結合器を備える。このシステムは、アンテナによる送信に関する信号とアンテナによって受信された信号との間の干渉を低減するように結合ノードに接続された可変インピーダンスエレメントをさらに備え、可変インピーダンスエレメントは、可変減衰器に接続された可変フェーズシフタ(phase shifter)を備える。
【０００９】
本構成は、送信される信号から受信された信号を正確に効率よくアイソレーションするために、可変減衰器に接続されたフェーズシフタを備える可変インピーダンスエレメントを設けることにより、結合ノードにおける反射係数の大きさと位相とを独立して調整することを可能にする。これは、可変インピーダンスエレメントの減衰を調節することが結合ノードにおける反射係数の大きさを調節する一方で、位相シフトを調節することが結合ノードにおける反射係数の位相角を調節するからである。この可変インピーダンスエレメントは、広範囲の周波数にわたる調整ももたらし、より簡単なデジタル制御を可能にするために、複数のスイッチングエレメントを使用して容易に製造され得る。
【００１０】
信号結合器は、入力ノード（送信経路）と出力ノード（受信経路）とをアンテナに結合するように構成され得るが、送信に関する信号とアンテナによって受信された信号との間の干渉を低減するために、入力ノードと出力ノードを互いにアイソレーションするように構成されることができる。信号結合器は、入力ノードにおいて受信された信号をアンテナによる送信に関するアンテナノードに供給し、アンテナによって受信された信号を、アンテナノードを介して出力ノードに供給するように構成されることができる。結合ノードにおける反射が、アンテナによる送信に関する信号を相殺するように結合ノードにおける反射係数が調節され得るように、結合ノードが入力ノードに結合されることができる。
【００１１】
信号結合器のノードはポートであり得る。一構成では、可変フェーズシフタと可変減衰器とが直列に接続されている。可変フェーズシフタと可変減衰器とはいずれの順番で接続されてもよく、グラウンドに接続されてもよい。このシステムは、無線信号の送信と受信とを同時に行うためのアンテナを備え得る。このシステムは、信号が同一周波数で送信され、受信される、フルデュプレックスモードで動作することができる。信号結合器は、方向性結合器、ハイブリッド結合器、ラットレース(rat race)結合器、または１つのポートに印加された信号または電力を別のポートに結合することができる任意の他の形式の結合器もしくはコンバイナであることができる。
【００１２】
一構成では、可変フェーズシフタは、可変フェーズシフタの両端の位相シフトを増加または減少させるために切り換えられるように構成された１組の切換え可能な可変位相シフトエレメントを備え、および／または、可変減衰器は、可変減衰器の両端の減衰を増加させるかまたは減少させるために切り換えられるように構成された１組の切換え可能な減衰エレメントを備える。これは容易なデジタル制御を可能にする。可変フェーズシフタは、一般的なコンポーネントを用いて集積回路で製造され得る。各可変フェーズシフト／可変減衰エレメントは、バイパスラインと、フェーズシフトライン／減衰ラインと、２つのラインのいずれの端に接続されている双方向スイッチのペアとを備え得る。スイッチが、位相シフトライン／減衰ラインに接続された第１の位置にあるとき、可変移相／可変減衰要素は、スイッチがバイパスラインに接続された第２の位置にあるときよりも、より高い位相シフト／減衰を有する。各可変減衰エレメントは、π形パッドまたはＴ形パッドを備え得る。
【００１３】
可変フェーズシフタは可変遅延ラインであり得、それによって、可変遅延ラインの両端の信号を遅延させることにより位相シフトを提供し、または信号に対して可変位相シフトを提供することができるフェーズシフタの他のいかなる形態でもよい。したがって、フェーズシフトエレメントは遅延エレメントであり得、フェーズシフトラインは遅延ラインであり得る。
【００１４】
一構成によれば、システムは、アンテナによる送信に関する信号とアンテナによって受信された信号との間の干渉を低減するために、可変インピーダンスエレメントのインピーダンスを調節するように構成される。このシステムは、送信に関する信号とアンテナによって受信された信号との間の干渉を低減するためにインピーダンスを調整するように、可変インピーダンスエレメントを制御するように構成されたコントローラを備え得る。システムは、可変インピーダンスエレメントのフェーズシフトと減衰を独立して調整するように構成され得る。
【００１５】
一構成によれば、システムは１つまたは複数のさらなる可変インピーダンスエレメントを備え、可変インピーダンスエレメントと１つまたは複数のさらなる可変インピーダンスエレメントは、電力分配器を介して結合端子に接続されている。これにより、送信された信号の多重反射が相殺されることを可能にする。
【００１６】
一構成によれば、無線周波数信号を二重化するための多入力多出力システムが提供され、このシステムは前述のような複数のシステムを備え、これらのシステムは、各システムの結合ノードに接続された共通ノードを介して互いに接続されている。これは多入力多出力（ＭＩＭＯ）動作を可能にする。入力および出力の数は、共通ノードに接続された二重化システムの数に相当する。共通ノードは、それぞれの電力分配器を介して各デュプレックスシステムの結合ノードに接続されることができる。これは、各デュプレックスシステムが、複数の反射信号を相殺するための複数の可変インピーダンスエレメントを含むことを可能にする。
【００１７】
一構成では、システムのうち１つまたは複数が、それぞれのシステムの結合ノードと共通ノードとの間に配置された可変インピーダンスエレメントを有する。一構成において、システムの各々が、それぞれのシステムの結合ノードと共通ノードとの間に配置された可変インピーダンスエレメントを有する。これはシステム間のアイソレーションを改善する。
【００１８】
さらなる構成によれば、上述したシステムを備え、さらにフルデュプレックス無線通信に関する信号結合器のアンテナノードとコントローラに接続されたアンテナを備えた無線通信に関するデバイスが提供される。コントローラは、アンテナによる送信に関する信号を信号結合器の入力ノードに供給し、アンテナによって受信された信号を信号結合器の出力ノードから受信し、アンテナによる送信に関する信号とアンテナによって受信された信号との間の干渉を低減するために可変インピーダンスエレメントを制御するように構成されている。減衰を調節することは反射係数の大きさを調節し、フェーズシフトを調節することは反射係数の位相角を調節する。これは、送受信信号間のアイソレーションを改善する。
【００１９】
さらなる構成によれば、アンテナによるフルデュプレックス送受信に関する無線周波数信号をデュプレックスするための方法が提供される。この方法は、アンテナに接続されるように構成されたアンテナノードと、入力ノードと、出力ノードおよび結合ノードと、結合ノードに接続された可変インピーダンスエレメントを備え、可変インピーダンスエレメントは可変フェーズシフタと可変減衰器を備えたシステムによって遂行される。この方法は、アンテナによる送信に関する無線周波数信号を入力ノードにおいて受信し、アンテナノードにおいて送信に関する信号を出力することと、アンテナによって受信された無線周波数信号をアンテナノードにおいて受信し、出力ノードにおいてアンテナによって受信された信号を出力することと、アンテナによる送信に関する信号とアンテナによって受信された信号との間の干渉を低減するために、可変インピーダンスエレメントを介して結合ノードに可変インピーダンスを適用することとを備える。アンテナノードおよび出力ノードに出力される信号は、入力ノードおよびアンテナノードにおいて受信された信号に対して減衰されることができる。
【００２０】
さらなる構成によれば、可変フェーズシフタは、可変フェーズシフタの両端の位相シフトを増加または減少させるために切り換えられるように構成された切換え可能な可変フェーズシフトエレメントのセットを備え、および／または、可変減衰器は、可変減衰器の両端の減衰を増加または減少させるために切り換えられるように構成された切換え可能な可変減衰エレメントのセットを備える。
【００２１】
さらなる構成によれば、この方法は、アンテナによる送信に関する信号とアンテナによって受信された信号との間の干渉を低減するために、可変インピーダンスエレメントのインピーダンスを調節することをさらに備える。
【００２２】
さらなる構成によれば、このシステムは、１つまたは複数のさらなる可変インピーダンスエレメントを備え、可変インピーダンスエレメントと１つまたは複数のさらなる可変インピーダンスエレメントとが電力分配器を介して結合端子に接続され、この方法は、１つまたは複数のさらなる可変インピーダンスエレメントを介して結合ノードに１つまたは複数のさらなる可変インピーダンスを適用することをさらに備える。
【００２３】
一構成によれば、信号をデュプレックスするための多入力多出力の方法が提供され、この方法は、前述のように、複数のシステムを、各システムの結合ノードに接続された共通ノードを介して互いに接続することを備える。
【００２４】
さらなる構成によれば、システムのうち１つまたは複数が、それぞれのシステムに関する結合ノードと共通ノードとの間に配置された可変インピーダンスエレメントを介して結合ノードに接続されている。
【００２５】
さらなる構成によれば、システムの各々は、それぞれのシステムに関する結合ノードと共通ノードとの間に配置されたそれぞれの可変インピーダンスエレメントを介して結合ノードに接続されている。
【００２６】
さらなる構成は図８〜図１６に示される。
【００２７】
フルデュプレックスオペレーションはインプリメントするのが困難である可能性がある。同時送受信が要求されるとき、システムは、２つの個別の周波数チャネル（すなわち周波数分割デュプレックス）または異なるタイムスロット（すなわち時分割デュプレックス）のいずれかを利用する傾向がある。
【００２８】
同一時刻における同一周波数のフルデュプレックス動作は、図１に示されるように、互いから遠く離れて配置された２つのアンテナを用いて達成され得る。
【００２９】
図１は、個別の送信アンテナ１４０と受信アンテナと１５０とを備える、フルデュプレックス通信に関するシステムを示す。ベースバンドプロセッサおよびコントローラ１１０は、送信アンテナ１４０によって送信される信号と、受信アンテナ１５０において受信された信号とを管理する。これは、信号のあらゆる必要な変調、復調、ミキシングまたはデジタルフィルタリングを含む。
【００３０】
コントローラ１１０は、送信経路と受信経路とに接続される。送信経路は、送信アンテナ１４０に接続された電力増幅器（ＰＡ）１２０を含む。受信経路は、受信アンテナ１５０に接続された低ノイズ増幅器（ＬＮＡ）１３０を含む。
【００３１】
コントローラ１１０は送信される信号（送信信号）を電力増幅器１２０へ送るように構成され、電力増幅器１２０は、信号を増幅し、増幅された信号を送信に関する送信アンテナ１４０に供給する。
【００３２】
低ノイズ増幅器１３０は、受信アンテナによって受信された任意の信号（受信信号）を増幅して、増幅された信号をベースバンドプロセッサおよびコントローラ１１０とに供給するように構成される。
【００３３】
図１のシステムは、受信アンテナ１５０と送信アンテナ１４０の分離を空間が可能にする場合にのみフルデュプレックスモードで効果的に機能することができない。利用できる空間がなく、単一のアンテナが使用されなければならない場合には、図２に示されるように、サーキュレータが、受信経路と送信経路の両方を単一のアンテナに接続することができる。
【００３４】
図２は、単一のアンテナ１７０を備える、フルデュプレックスに関するシステムを示す。このシステムは、低ノイズ増幅器１３０と電力増幅器１２０とがサーキュレータ１６０のそれぞれのポートに接続されていることを除けば、図１のシステムと同一である。サーキュレータ１６０の第３のポートは、無線周波数（ＲＦ）信号の送信と受信の両方に関する単一のアンテナ１７０に接続されている。
【００３５】
サーキュレータ１６０は、ＲＦ波が一方向にしか進まないように磁界の影響を受ける伝送ラインの輪から成る。これは、送信経路が受信経路からアイソレーションされることを可能にする一方で、アンテナ１７０において受信された任意の信号が受信経路に渡されることを可能にし、送信される任意の信号が送信経路からアンテナ１７０に渡されることも可能にする。しかしながら、サーキュレータは割高で大きく、しかも狭帯域であり、したがって最新式の通信デバイス、特に厳格な空間要件を要求するものには適さない。
【００３６】
ウィルキンソンの電力分配器／コンバイナは広帯域の動作を提供することができるが、アイソレーションは限定的であって調整され得ない。他の解決策は「ラットレース」コンバイナスプリッタ（ハイブリッドリング結合器としても知られている）または方向性結合器（後者は図３に示されている）を含み、どちらも、その第４のポートに接続された可変インピーダンスを用いて調整され得る。
【００３７】
図３は、方向性結合器１６５を備えるフルデュプレックス通信に関する単一アンテナシステムを示す。このシステムは図２のものによく似ているが、負荷抵抗１８０を介してグラウンドに接続された第４のポートを有する方向性結合器１６５によってサーキュレータ１６０が置換されている。
【００３８】
方向性結合器には多くのタイプがある。方向性結合器１６５は、ラインが互いに結合され得るように、互いに近接して構成された１対の伝送ラインを備えることができる。図３において、アンテナ１７０と受信経路の低ノイズ増幅器１３０との間に、結合器１６５の第１の伝送ラインが接続される。送信経路の電力増幅器１２０と負荷抵抗１８０の間に、結合器の第２の伝送ラインが接続される。サーキュレータ１６０と同様に、方向性結合器１６５は、送信経路と受信経路とをアンテナ１７０に結合する一方で、送信経路から受信経路をアイソレーションする。後に示されるように、負荷抵抗１８０は、方向性結合器１６５が適切なアイソレーションをもたらすように設定され得る可変インピーダンスで置換されることができる。図４に示されるように、方向性結合器１６５はハイブリッド結合器（３ｄＢの直角位相結合器）であり得る。
【００３９】
図４は、ハイブリッド結合器１６７を備える、フルデュプレックス通信に関する単一アンテナシステムを示す。このシステムは図３のものと同一であるが、方向性結合器１６５はハイブリッド結合器１６７である。ハイブリッド結合器１６７において、方向性結合器の２つの出力（受信経路に接続されたポートにおける出力と、負荷抵抗１８０に接続されたポートにおける出力）のそれぞれが、入力電力の半分を受け取る。
【００４０】
これの代替が図５に示される。図５は、単一の相殺経路を備える、フルデュプレックス通信に関する単一アンテナシステムを示す。このシステムは図４のものによく似ているが、アンテナ１７０による送信により生じた受信経路上の任意の干渉を相殺するために受信経路に送信信号をフィードバックする相殺経路に送受信経路を結合するさらなる結合器がこれらの経路の後に配置される。
【００４１】
電力増幅器１２０の出力と信号結合ネットワーク１８６との間に第１の方向性結合器１８２が接続されている。第２の方向性結合器１８４は、低ノイズ増幅器１３０の入力と信号結合ネットワーク１８６との間に接続される。信号結合ネットワーク１８６は、アンテナ１７０のフルデュプレックス動作を可能にするために送信経路と受信経路とを結合する。信号結合ネットワークは、ウィルキンソン電力分配器／コンバイナ、方向性結合器、ラットレース結合器またはハイブリッド結合器であり得る。
【００４２】
第１の方向性結合器１８２と第２の方向性結合器１８４は、相殺経路を介して互いに接続されている。相殺経路は、可変フェーズシフタ１９０と可変減衰器１９２とを備える。これは、送信経路からフィードバックされる相殺信号が、受信経路上で受信される送信信号のいずれをも相殺するように調整されることを可能にする。しかしながら、送信信号のうちのいくらかを受信経路に戻るように渡すことによって送信電力が低減され、それによってシステムの効率が低下する。
【００４３】
動作中に送信をアンテナへ戻るように反射し得る複数の物体が存在する可能性がある。したがって、複数の異なる反射信号がアンテナによってとらえられ、受信経路に渡される可能性がある。そのような反射を打ち消すために、複数の相殺経路が利用されることができる。
【００４４】
図６は、複数の相殺経路を備える、フルデュプレックス通信に関する単一アンテナシステムを示す。このシステムは図５のものによく似ているが、単一の相殺経路が複数の相殺経路１９０で置換されている。相殺経路を３つの相殺経路１９０に分割し、次いでフィードバックに関する信号を受信経路へ再結合するように、各方向性結合器１８２、１８４に３−ＷＡＹ電力分配器が接続される。各相殺経路は、可変減衰器と遅延エレメントとを備える。受信経路と送信経路との間のアイソレーションを改善するために、各相殺経路は異なる反射信号に調整されることができる。しかしながら、このシステムには、送信信号が減衰されることによってシステムの効率が低下し、信号対雑音比も低下するという点で、図５のシステムと同一の問題がある。
【００４５】
相殺経路を利用せず、たとえば図７に示されるようにポートのインピーダンスを制御することによってアイソレーションすることにより、効率が改善され得る。図７は、ハイブリッド結合器１６７の予備ポートが可変インピーダンスエレメント１８０’に接続されるハイブリッド結合器１６７を備える、フルデュプレックス通信に関する単一アンテナシステムを示す。送信経路から受信経路をアイソレーションするための最適なインピーダンスは、送信周波数に依存して、または周囲の環境に基づいて変化する可能性がある。図７のシステムは図４のシステムによく似ているが、性能を改善するためにインピーダンスが変化され得る。第４ポートに接続されたインピーダンスを調整することは、反射信号が送信経路に漏れる送信信号に対して大きさが等しく逆位相を得るまで、第４のポートの反射係数が変化されることを可能にする。これは、そのような漏れによって生成されるいかなる干渉も相殺するのを支援する。  可変インピーダンスエレメント１８０’のインピーダンスは調整範囲に制限があり、集積回路（ＩＣ）の一部分として製作されたとき高い損失を被る可能性があるバラクタダイオード（可変容量ダイオード）の使用を通じてそのインピーダンスを変化させる。
【００４６】
ここに記載された構成は、図７に類似したシステムを利用する。ここにおいて、可変インピーダンスエレメント１８０’はハイブリッド結合器１６７の第４のポートに接続される。しかしながら、可変インピーダンスは、可変減衰器と可変遅延ライン１つまたは複数のセットを介して提供される。  図８は、一構成による、可変インピーダンスエレメント２００を備えるフルデュプレックス通信に関する単一アンテナシステムを示す。このシステムは図７のものと同一であるが、可変インピーダンスエレメント２００は、可変減衰器２２０に接続された可変遅延ライン２１０を備える。可変遅延ライン２１０は、可変インピーダンスモジュール２００（ハイブリッド結合器１６７に接続されている）の入力に接続されており、可変減衰器２２０はグラウンドに接続されている。しかしながら、可変インピーダンスエレメント２００は極性化されていない(non-polarized)。したがって、可変インピーダンスエレメント２００の機能に影響を及ぼすことなく、可変遅延ライン２１０と可変減衰器２２０の順序が逆にされ得る。加えて、可変インピーダンスエレメント２００は、グラウンドに接続されずに開回路のままでもよい。
【００４７】
図９は、一機構による可変インピーダンスエレメント２００を示す。図９（ａ）は可変インピーダンスエレメント２００の構成を示し、図９（ｂ）は可変インピーダンスエレメント２００のスミスチャートを示す。図９（ａ）は図８に示された可変インピーダンスエレメント２００である。
【００４８】
図９（ｂ）は可変インピーダンスエレメント２００に関するスミスチャートを示す。これは、所与のインピーダンスが、ハイブリッド結合器１６７の第４のポートにおける反射係数の実部と虚部とに関して所与の反射係数によってどのように表され得るかを示す。減衰の増加はシステムを実軸に沿って移動させ、一方、遅延の増加は、システムをスミスチャートの周囲に移動させる。したがって、遅延を調節することは反射係数の角度を調節し、一方、減衰を調節することは反射係数の大きさを調節する。
【００４９】
第３のノードに接続されたアンテナをエミュレートするように第４のノードにおいてインピーダンスを調節することは、第４のノードにおいて反射された信号がアンテナノードにおいて反射された信号を相殺することを可能にする。これは、送信ラインと受信ラインとの間をアイソレーションする。
【００５０】
それゆえ、個別の可変遅延ライン２１０と可変減衰器２２０は改善された制御を提供する。反射係数の位相と大きさは、独立して制御されることができる。コントローラに接続されると、コントローラは、最初に電源が投入されたとき、初期のインピーダンスを設定するためのすべての可能なポイントスキャンし、次いで定期的に更新する必要がある。図４のシステムを用いて、単一の制御エレメントは、位相と大きさの両方が同時に調節されるであろうことを意味する。図７のシステムによって提供される位相と大きさの独立した制御は、反射係数がより効果的に制御されことを可能にし、それによってシステム内のアイソレーションを改善する。
【００５１】
可変減衰器２２０と可変遅延ライン２１０の使用は広い範囲にわたって調整可能であり、標準的なスイッチングエレメントを用いた集積回路（ＩＣ）の製作（たとえばＣＭＯＳ）に適し、それによってデジタル制御がより容易になるシステムを生じる。さらに、個別の可変遅延ライン２１０と可変減衰器２２０は、第４のポートにおける反射係数の大きさと位相が独立して制御されることを可能にする。これは、受信経路と送信経路との間の改善されたアイソレーションを有したフルデュプレックスモードで動作することができるより効果的なシステムを提供する。  図１０は、一構成による、スイッチド(switched)可変減衰器２１０とスイッチド可変遅延ライン２２０とを備える可変インピーダンスエレメントを示す。スイッチド可変遅延ライン２１０は、一連のスイッチド可変遅延エレメント２１５を備える。各スイッチド可変遅延エレメント２１５は、互いに並列のバイパスラインと遅延ラインとを備え、各ラインの終端に、バイパスラインと遅延ラインとの間の切換えを可能にする２−ＷＡＹスイッチを有する。
【００５２】
遅延ラインは、アナログ遅延ラインの任意の形式でよい。これは、（図１０に示されるような）長い伝送ラインの形式、または１組の縦続接続された抵抗−キャパシタ回路またはインダクタ−キャパシタ回路の形式でもよい。
【００５３】
遅延ラインは、バイパスラインと比較して、信号に遅れ（位相変化）を追加する。したがって、各スイッチド可変遅延エレメント２１５に関して遅延ラインとバイパスラインとの間で切り換えることにより、スイッチド可変遅延ライン２１０両端間の全体の遅延が変化されることができる。各スイッチド可変遅延エレメント２１５に関する切換えを制御するために、コントローラ１１０によって、スイッチド可変遅延ライン２１０にデジタル制御信号が供給される。
【００５４】
スイッチド可変減衰器２２０は、一連のスイッチド可変減衰エレメント２２５を備える。各可変減衰エレメント２２５は、互いに並列のバイパスラインと減衰ラインとを備え、各ラインの終端にはバイパスラインと減衰ラインとの間の切換えを可能にする２−ＷＡＹスイッチ(two-way switch)がある。
【００５５】
減衰ラインは、不平衡のπ形パッド減衰器の形式で複数の抵抗を備える。すなわち、２つの２−ＷＡＹスイッチの間に直列に第１の抵抗が接続されており、第１の抵抗の各終端が、さらなる抵抗を介してグラウンド（または類似の基準電圧）に接続されている。しかしながら、π形パッドの代替としてＴ形パッドが使用されてもよい。
【００５６】
各可変減衰エレメント２２５は、バイパスラインと比較して信号を減衰させる（信号の電力を低減する）。したがって、各スイッチド可変減衰エレメント２２５に関して減衰ラインとバイパスラインとの間で切り換えることにより、スイッチド可変減衰器２２０両端の全体の減衰が変化されることができる。各スイッチド可変減衰エレメント２２５に関する切換えを制御するために、コントローラ１１０によって、スイッチド可変減衰器２２０にデジタル制御信号が供給される。
【００５７】
図１１は、送信によって生じた漏れを、図８のシステムを使用して測定され、図４のシステムを用いて測定された測定値と比較された、送信周波数の関数として示す。５０Ωの抵抗（図４のシステム）または可変インピーダンスの３つの異なる設定値、Ｚ１、Ｚ２、Ｚ３（図８の構成）でハイブリッド結合器の第４ポートを終端するシステムに関して測定が行われた。可変インピーダンスを内蔵するシステムは、設定された抵抗を内蔵するシステムと比較して、アイソレーションにおける大幅な改善を示す。同様に、インピーダンスを変化させることにより、図８の構成は２．４３ＧＨｚと２．４７ＧＨｚとの間で調整可能なヌル(null)を提供することができることが理解され得る。これは、システムに対するインピーダンスとシステムが動作している環境とを調整することにより、送信からの干渉が効果的に相殺されることを可能にする。
【００５８】
現実的な環境では図１２に示されるように、送信された信号が受信経路に入り込ませる複数の反射が存在するであろう。
【００５９】
図１２は、図８のシステムによって送信された信号の反射経路を示す。信号はアンテナ１７０によって送信され、近くの壁から反射される。壁にはコーナーがあるので、アンテナに戻される複数の反射信号があり、各々が異なる反射経路を辿る。壁がアンテナ１７０のすぐ近くにあると仮定すると、これらの信号は大きくなり得、かなりの干渉を起こすであろう。いくつかはデジタルベースバンドに対して大きすぎて相殺することができず、相殺はアナログ／ＲＦ領域において行われなければならないことも起こり得る。部屋には、たとえば家具また何らかの人々といった何らかの物体からの反射もあり得る。これらの物体（たとえば人々）が移動していることもあり得るので、これは動的に変化する環境をもたらす。
【００６０】
本明細書で説明された機構は、異なる反射からの干渉を相殺するために異なる可変遅延において複数の可変インピーダンスを内蔵する。各反射信号が異なる距離を移動するので、各反射信号が異なる位相を有するはずである。各反射信号に関して可変インピーダンスを提供することは、各反射信号が個々に相殺されることを可能にし、それによってアイソレーションを改善し、干渉を低減する。したがって、必要とされる可変インピーダンスおよび遅延ラインの数は、周囲環境によって生成される反射の数に依存するであろう。
【００６１】
図１３は、一構成による、複数の可変インピーダンスを備えるシステム示す。このシステムは図１１のシステムと同一であるが、３つの可変インピーダンスエレメントが３−ＷＡＹ電力分配器３１０を介してハイブリッド結合器１６７の第４ポートに接続される。この分配器は、たとえばウィルキンソンタイプの分配器または他のタイプのアイソレーションされた分配器／コンバイナであり得る。各可変インピーダンスエレメントは、各が可変遅延ライン３２０と可変減衰器３３０とを備え、各可変インピーダンスエレメントがグラウンドに接続されているという点で、図８に示されたものと同一である。各可変インピーダンスエレメントは、複数の反射経路からの干渉が効果的に低減され得ることを保証するために、特定の反射信号に関して調整されることができる。本機構は３つの可変インピーダンスエレメントしか示していないが、任意数の反射信号を相殺するために、任意数の可変インピーダンスエレメントが適切な電力分配器とともに利用され得る。
【００６２】
ハイブリッド結合器に可変インピーダンスを適用することにより、ハイブリッド結合器の第４ポートにおける反射係数が、いかなる送信漏れも相殺するように調整され得る。これは、送信電力を低減し、それゆえ電力増幅器の効率を低下させる図６のシステムよりも被る信号損失が少ない。
【００６３】
構成は、フルデュプレックスの多入力多出力（ＭＩＭＯ）伝送もインプリメントすることができる。これは、システムのスループットを大幅に増大させることができる。
【００６４】
図１４は、一構成による、フルデュプレックスの多入力多出力システムを示す。このシステムは、共有可変インピーダンスエレメント３３０を介して接続された図１３に従う２つのトランシーバを備える。
【００６５】
図１３に示されるように、各トランシーバはハイブリッド結合器１６７、１６７’を含む。各ハイブリッド結合器１６７、１６７’は、第２のポートにおいてアンテナ１７０、１７０’に接続される。各ハイブリッド結合器１６７、１６７’は、第２のポートにおいてそれぞれのアンテナ１７０、１７０’に結合される。各ハイブリッド結合器１６７、１６７’は、送信のための送信信号を第３ポートにおいて受信し、アンテナにおいて受信された信号を第１ポートにおいて出力する。各ハイブリッド結合器１６７、１６７’の第４ポートは、３−ＷＡＹ電力分配器３１０、３１０’に接続されている。図１３のように、３−ＷＡＹ電力分配器３１０、３１０’の出力のうちの２つは、それぞれ可変インピーダンスエレメント３４０、３４０’を介してグラウンドに接続されている。３−ＷＡＹ分配器３１０、３１０’の残りの出力は、共有の可変インピーダンスエレメント３３０の両端に接続されている。
【００６６】
図１３のシステムと同様に、この機構では任意数の可変インピーダンスエレメントが利用され得る。共有可変インピーダンスエレメント３３０は、直列に接続された２つの可変インピーダンスエレメントで置換されてよい。これは、複数の部屋反射のさらなる相殺を可能にするであろう。このシステムは、送信のための信号を受信して、受信された信号を、共有のベースバンドプロセッサとコントローラとを介して戻すことができる。代替的に、ＭＩＭＯシステムにおける各トランシーバに独立したコントローラが設けられることができる。図１４のシステムは２×２のＭＩＭＯであるが、このシステムは、共通ノードを介して接続された任意数のアンテナを含むように拡張されることができる。
【００６７】
図１５は、一構成による、フルデュプレックスの４×４のＭＩＭＯシステムを示す。このシステムでは、図１３に示されたような４つのトランシーバが、各トランシーバに関して可変インプーダンスエレメント４３０−４３６の１つの端部に接続された共通ノードを介して接続される。トランシーバのうちの２つに関する可変インピーダンスエレメント４３２、４３６は、他の２つのトランシーバの可変インピーダンスエレメント４３０、４３４に対して逆にされている。第１および第３トランシーバは、それらの可変減衰器がそれぞれの３−ＷＡＹ分配器に接続され、それらの可変遅延ラインが共通ノードに接続されるようにそれらの可変インピーダンスエレメント４３０、４３４が構成されている。第２および第４トランシーバは、それらの可変遅延ラインがそれぞれの３−ＷＡＹ分配器に接続され、それらの可変減衰器が共通ノードに接続されるように、それらの可変インピーダンスエレメントが４３２、４３６が逆にされている。しかしながら、可変インピーダンスエレメント４３０〜４３６は極性化されておらず、そのため、任意の配向で接続されることができる。残りの可変インピーダンスエレメントは、図１３に示されるようにグラウンドに接続されている。
【００６８】
図１４のシステムと同様に、この構成において、任意数の可変インピーダンスエレメントが利用されることができる。このシステムは、送信に関する信号を受信して、受信された信号を、共有のベースバンドプロセッサおよびコントローラを介して戻すことができる。あるいは、ＭＩＭＯシステム内の各トランシーバに独立したコントローラが設けられてもよい。図１５に示されるように、共通ノードに接続されたトランシーバの数を変化させることによって任意数のトランシーバをＭＩＭＯシステム内にインプリメントされることができる。たとえば、抵抗性電力分配器のような全方向性の信号結合／分配ネットワークを介して共通ノードに８つのトランシーバを接続することにより、８×８のシステムが形成されることができる。
【００６９】
図１６は、フルデュプレックストランシーバシステムを内蔵するシステムを示す。システム５００は、無線周波数（ＲＦ）インターフェース５２０に接続されたアンテナ５１０を備える。ＲＦインターフェース５２０は（類似の機構が、図１２に示されるように単一の可変インピーダンスエレメントしかインプリメントすることができないが）、図１３の増幅器と、ハイブリッド結合器と、複数の可変インピーダンスエレメントとを含む。それゆえ、ＲＦインターフェース５２０は、アンテナ５１０において送受信される信号を増幅し、また、送信経路から受信経路をアイソレートする。ＲＦインターフェース５２０は、送信される信号を変調し、受信された信号を復調するように構成されているが、これは、代替的にコントローラ５３０によってインプリメントされることができる。ＲＦインターフェース５２０は、送信すべき信号をコントローラ５３０から受信する。ＲＦインターフェースは、また、受信された信号をコントローラ５３０に供給するように構成される。
【００７０】
コントローラ５３０は、システム５００の必要性に従って送信すべき信号を提供し、アンテナ５１０によって受信された信号を受信し解釈するように構成されている。さらに、コントローラ５３０は、送信経路から受信経路への漏れを低減するようにシステムを調整するために、ＲＦインターフェース５２０に関する可変インピーダンスを制御するように構成されている。これは、ユーザインターフェースを介して手動で、または事前に定義されたルールのセットに従ってコントローラ５３０によって自動的にインプリメントされることができる。たとえば、コントローラ５３０は、システムの漏れを反復的に試験して、漏れを低減するようにインピーダンスを調節することができる。コントローラ５３０は、メモリ５４０に記憶されたコンピュータ実行可能コードに従ってその機能を遂行する。
【００７１】
本明細書で説明された構成は、既存のシステムへ容易に統合されることができる。それらはブロードバンド動作で利用されることができ、そのため、マルチスタンダード無線機（ＭＳＲ）または分散アンテナシステム（ＤＡＳ）を伴う用途を可能にする多数の異なるバンドをカバーすることができる。
【００７２】
本明細書で説明された構成は、ＩＥＥＥ  ８０２．１１ａｘのＷｉ−Ｆｉプロトコルを参照して説明した。しかしながら、本明細書で説明された概念は、フルデュプレクス動作が有用な任意のＷｉ−Ｆｉシステムまたは他の通信システムにも同様に適用可能である。たとえば近距離無線通信（ＮＦＣ）システムのような無線周波数識別（ＲＦＩＤ）システムでは、さらなる構成が使用される。さらに、構成は、フルデュプレックス通信を利用することに関心を向ける携帯電話基地局においてインプリメントされることができる。
【００７３】
上記で論じられた機構はハイブリッド結合器を含んでいるが、信号結合器の任意の形態が使用され得る。同様に、本明細書で説明された可変インピーダンスエレメントは可変遅延ラインを含んでいるが、可変フェーズシフタの任意の形態が使用されることができる。
【００７４】
本明細書で説明された構成は、より効率的に動作し、送信された信号からの干渉を効果的に相殺し、送信の他の方法に関連した送信電力の低下を防止し、それにより信号対雑音比と送信の範囲とを改善する、改善されたフルデュプレックスＲＦ送信システムを提供する。本明細書で説明された可変インピーダンスエレメントは、広い同調範囲にわたって改善された動作を提供し、一般的な部品を利用する集積回路の製作に適する。さらに、本明細書で説明された構成は、厳しいスペース要件を有したシステムに使用するのに適したより小さい様式でインプリメントされることができる簡単化された設計を含む。本明細書で説明された構成は、フルデュプレクスＭＩＭＯ動作を可能にするための複数のアンテナを含み得る。ＭＩＭＯシステムの構成はある程度の繰返しを含み、それによってインプリメンテーションコストを下げる。
【００７５】
特定の構成が説明されたが、これらの構成は例としてのみ示されており、本発明の範囲を限定するようには意図されていない。実際、本明細書で説明された斬新な方法、システムおよびデバイスは、様々な他の形態で具現化されてよく、さらに、本明細書で説明された方法およびシステムの形態において様々な省略、置換および変更がなされ得る。
以下に、本願出願の当初の特許請求の範囲に記載された発明を付記する。
〔１〕
アンテナによるフルデュプレクスの送受信に関する無線周波数信号を二重化するためのシステムであって、
前記アンテナに接続されるように構成されたアンテナノードと、
前記アンテナによる送信に関する無線周波数信号を受信する入力ノードと、
前記アンテナによって受信された無線周波数信号を出力する出力ノードと、および
結合ノードと、
を備えた信号結合器と、
前記アンテナによる送信に関する前記信号と前記アンテナによって受信された前記信号との間の干渉を低減するように前記結合ノードに接続された可変インピーダンスエレメントと、ここにおいて前記可変インピーダンスエレメントは可変減衰器に接続された可変フェーズシフタを備える、を備えるシステム。
〔２〕
前記可変フェーズシフタが、前記可変フェーズシフタの両端の位相シフトを増加または減少させるために切り換えられるように構成された切換え可能な可変フェーズシフトエレメントのセットを備え、および／または、前記可変減衰器が、前記可変減衰器の両端の減衰を増加または減少させるために切り換えられるように構成された切換え可能な可変減衰エレメントのセットを備える〔１〕に記載のシステム。
〔３〕
前記アンテナによる送信に関する前記信号と前記アンテナによって受信された前記信号との間の干渉を低減するために、前記可変インピーダンスエレメントのインピーダンスを調節するように前記システムが構成される〔１〕または〔２〕に記載のシステム。
〔４〕
前記システムが１つまたは複数のさらなる可変インピーダンスエレメントを備え、前記可変インピーダンスエレメントと前記１つまたは複数のさらなる可変インピーダンスエレメントとが、電力分配器を介して結合端子に接続されている〔１〕から〔３〕のいずれか一項に記載のシステム。
〔５〕
無線周波数信号を二重化するための多入力多出力システムであって、前記システムは、各システムの結合ノードに接続された共通ノードを介して互いに接続されている〔１〕から〔４〕のいずれか一項に記載の複数のシステムを備える多入力多出力システム。
〔６〕
前記システムのうち１つまたは複数が、前記それぞれのシステムに関する前記結合ノードと前記共通ノードとの間に配置された可変インピーダンスエレメントを有する〔５〕に記載の多入力多出力システム。
〔７〕
前記複数のシステムの各々が、前記それぞれのシステムに関する前記結合ノードと前記共通ノードとの間に配置された可変インピーダンスエレメントを有する〔５〕または〔６〕に記載の多入力多出力システム。
〔８〕
〔１〕から〔７〕のいずれか一項に記載のシステムと、
フルデュプレクスワイヤレス通信に関する信号結合器のアンテナノードに接続されたアンテナと、および
前記アンテナによる送信に関する信号を前記信号結合器の入力ノードに供給し、
前記アンテナによって受信された前記信号を前記信号結合器の出力ノードから受信し、
前記アンテナによる送信に関する前記信号と前記アンテナによって受信された前記信号との間の干渉を低減するために、可変インピーダンスエレメントを制御する
ように構成されたコントローラとを備える、ワイヤレス通信のためのデバイス。
〔９〕
アンテナによるフルデュプレックス送受信に関する無線周波数信号を二重化するための方法であって、前記アンテナに接続されるように構成されたアンテナノードと、入力ノードと、出力ノードおよび結合ノードを備えた信号結合器と、前記結合ノードに接続された可変インピーダンスエレメントを備え、前記可変インピーダンスエレメントは可変フェーズシフタと可変減衰器を備えた、システムにより前記方法が実行され、
前記アンテナによる送信に関する無線周波数信号を前記入力ノードにおいて受信し、送信に関する前記信号を前記アンテナノードにおいて出力することと、
前記アンテナによって受信された無線周波数信号を前記アンテナノードにおいて受信し、前記アンテナによって受信された前記信号を前記出力ノードにおいて出力することと、
前記アンテナによる送信に関する前記信号と前記アンテナによって受信された前記信号との間の干渉を低減するために、前記可変インピーダンスエレメントを介して前記結合ノードに可変インピーダンスを適用することとを備える方法。
〔１０〕
前記可変フェーズシフタが、前記可変フェーズシフタの両端のフェーズシフトを増加または減少させるために切り換えられるように構成された切換え可能な可変フェーズシフトエレメントのセットを備え、および／または、前記可変減衰器が、前記可変減衰器の両端の減衰を増加または減少させるために切り換えられるように構成された切換え可能な減衰エレメントのセットを備える〔９〕に記載の方法。
〔１１〕
前記アンテナによる送信に関する前記信号と前記アンテナによって受信された前記信号との間の干渉を低減するために、前記可変インピーダンスエレメントのインピーダンスを調節することをさらに備える〔９〕または〔１０〕に記載の方法。
〔１２〕
前記システムが、１つまたは複数のさらなる可変インピーダンスエレメントを備え、前記可変インピーダンスエレメントと前記１つまたは複数のさらなる可変インピーダンスエレメントとが電力分配器を介して結合端子に接続され、前記方法はさらに、前記１つまたは複数のさらなる可変インピーダンスエレメントを介して前記結合ノードに１つまたは複数のさらなる可変インピーダンスを適用することをさらに備える〔９〕から〔１１〕のいずれか一項に記載の方法。
〔１３〕
信号を二重化するための多入力多出力の方法であって、各システムの結合ノードに接続された共通ノードを介して、〔１〕から〔４〕のいずれか一項に記載の複数のシステムを互いに接続することを備える多入力多出力の方法。
〔１４〕
前記システムのうち１つまたは複数が、前記それぞれのシステムに関する前記結合ノードと前記共通ノードとの間に配置された可変インピーダンスエレメントを介して前記結合ノードに接続された〔１３〕に記載の多入力多出力の方法。
〔１５〕
前記複数のシステムの各々が、前記それぞれのシステムに関する前記結合ノードと前記共通ノードとの間に配置されたそれぞれの可変インピーダンスエレメントを介して前記結合ノードに接続された〔１３〕または〔１４〕に記載の多入力多出力の方法。
〔１６〕
実質的に図８から図１６のいずれかを参照して本明細書に記載されたシステム。
【図１】
0006392388.tif 000002
【図２】
0006392388.tif 000003
【図３】
0006392388.tif 000004
【図４】
0006392388.tif 000005
【図５】
0006392388.tif 000006
【図６】
0006392388.tif 000007
【図７】
0006392388.tif 000008
【図８】
0006392388.tif 000009
【図９】
0006392388.tif 000010
【図１０】
0006392388.tif 000011
【図１１】
0006392388.tif 000012
【図１２】
0006392388.tif 000013
【図１３】
0006392388.tif 000014
【図１４】
0006392388.tif 000015
【図１５】
0006392388.tif 000016
【図１６】
0006392388.tif 000017